(57)【要約】  初回起動に際し設定情報を確実に取得するため、基地局装置(１)を構成する判定部(１０)は、付帯設備(２＿１〜２＿ｎ)の接続状況に基づき、自装置(１)が初回起動されたか否かを判定する。この時、判定部(１０)は、自装置(１)に接続された１以上の付帯設備が、初回起動時に接続されるべき付帯設備を含み且つ初回起動時に接続されるべきでない付帯設備を含まない場合、初回起動と判定し、それ以外の場合、初回起動で無いと判定する。また、取得部(２０)は、判定部(１０)により初回起動と判定された場合、自装置(１)の動作に必要な設定情報(１０２)をサーバ(３)から取得する。
2010137227.tif 000002
【特許請求の範囲】
【請求項１】
付帯設備の接続状況に基づき、自装置が初回起動されたか否かを判定する判定手段と、
初回起動と判定された場合、自装置の動作に必要な設定情報をサーバから取得する取得手段と、
を備えた基地局装置。
【請求項２】
請求項１において、
前記判定手段は、自装置に接続された１以上の付帯設備が、初回起動時に接続されるべき付帯設備を含み且つ初回起動時に接続されるべきでない付帯設備を含まない場合、初回起動と判定し、それ以外の場合、初回起動で無いと判定することを特徴とした基地局装置。
【請求項３】
請求項１又は２において、
前記取得手段は、初回起動で無いと判定された場合、前記設定情報を取得しないことを特徴とする基地局装置。
【請求項４】
基地局装置の制御方法であって、
付帯設備の接続状況に基づき、前記基地局装置が初回起動されたか否かを判定し、
初回起動と判定した場合、前記基地局装置の動作に必要な設定情報をサーバから取得する、制御方法。
【請求項５】
請求項４において、
前記基地局装置に接続された１以上の付帯設備が、初回起動時に接続されるべき付帯設備を含み且つ初回起動時に接続されるべきでない付帯設備を含まない場合、初回起動と判定し、それ以外の場合、初回起動で無いと判定することを特徴とした制御方法。
【請求項６】
請求項４又は５において、
初回起動で無いと判定した場合、前記設定情報を取得しないことを特徴とする制御方法。
【請求項７】
基地局装置に、
付帯設備の接続状況に基づき、前記基地局装置が初回起動されたか否かを判定する処理と、
初回起動と判定した場合、前記基地局装置の動作に必要な設定情報をサーバから取得する処理と、
を実行させるための制御プログラムが格納された非一時的なコンピュータ可読媒体。
【発明の詳細な説明】
【技術分野】
【０００１】
本発明は、基地局装置、並びにその制御方法及びプログラムに関し、特に初回起動時に、動作に必要な設定情報をサーバから取得(ダウンロード)する基地局装置、並びにその制御方法及びプログラムに関する。
【背景技術】
【０００２】
上記のような基地局装置が、例えば特許文献１に記載されている。この特許文献１に記載される基地局装置は、新設時(すなわち、初回起動時)に、サーバから自装置の設置位置等に関する設定情報をダウンロードし、以て当該設定情報を以降の動作に利用する。
【先行技術文献】
【特許文献】
【０００３】
【特許文献１】特開２００８−１９３５２５号公報
【発明の概要】
【発明が解決しようとする課題】
【０００４】
しかしながら、上記の特許文献１には、運用者の操作ミス等に因り、基地局装置の初回起動時に設定情報が取得されない虞があるという課題があった。これは、運用者が、初回起動であるか否かを、物理的なスイッチを用いて切り替える又は専用のソフトウェアを用いて設定変更する必要があるためである。【０００５】
また、物理的なスイッチの設置には、基地局装置のコストを上昇させてしまうという問題もある。一方、専用のソフトウェアを用いた設定変更には、運用者の作業を煩雑にしてしまうという問題もある。【０００６】
従って、本発明は、初回起動に際し、設定情報を確実に取得することが可能な基地局装置、並びにその制御方法及びプログラムを提供することを目的とする。
【課題を解決するための手段】
【０００７】
上記の目的を達成するため、本発明の一態様に係る基地局装置は、付帯設備の接続状況に基づき、自装置が初回起動されたか否かを判定する判定手段と、初回起動と判定された場合、自装置の動作に必要な設定情報をサーバから取得する取得手段とを備える。【０００８】
また、本発明の一態様に係る制御方法は、基地局装置の制御方法を提供する。この制御方法は、付帯設備の接続状況に基づき、前記基地局装置が初回起動されたか否かを判定し、初回起動と判定した場合、前記基地局装置の動作に必要な設定情報をサーバから取得する。【０００９】
さらに、本発明の一態様に係る制御プログラムは、基地局装置に、付帯設備の接続状況に基づき、前記基地局装置が初回起動されたか否かを判定する処理と、初回起動と判定した場合、前記基地局装置の動作に必要な設定情報をサーバから取得する処理とを実行させる。
【発明の効果】
【００１０】
本発明では、基地局装置自身が初回起動を自律的に判定する。このため、運用者の操作に依存せず、設定情報を確実に取得することが可能である。また、初回起動を付帯設備の接続状況に基づき判定するため、上述した物理的なスイッチの設置や、専用のソフトウェアを用いた設定変更等が不要となり、以て基地局装置のコスト低減や、運用者の作業効率化等を図れるというメリットもある。
【図面の簡単な説明】
【００１１】
【図１】本発明の実施の形態に係る基地局装置の概略的な構成例を示したブロック図である。
【図２】本発明の実施の形態に係る基地局装置の具体的な構成例を示したブロック図である。
【図３】本発明の実施の形態に係る基地局装置に用いる判定用リストの構成例を示した図である。
【図４】本発明の実施の形態に係る基地局装置の動作例を示したフローチャート図である。
【図５Ａ】本発明の実施の形態に係る基地局装置に用いる検出設備リストの作成例を示した図である。
【図５Ｂ】本発明の実施の形態に係る基地局装置に用いる検出設備リストのフィルタ例を示した図である。
【発明を実施するための形態】
【００１２】
以下、本発明に係る基地局装置の実施の形態を、図１〜図４、並びに図５Ａ及び図５Ｂを参照して説明する。なお、各図面において、同一要素には同一の符号が付されており、説明の明確化のため、必要に応じて重複説明は省略される。
【００１３】
図１に示す本実施の形態に係る基地局装置１は、初回起動判定部１０と、設定情報取得部２０とで構成される。
【００１４】
この内、初回起動判定部１０は、電源投入時における基地局装置１への付帯設備２＿１〜２＿ｎの接続状況(接続の有無)を検出すると共に、当該接続状況に基づき基地局装置１が初回起動されたか否かを判定する(この判定処理の詳細は後述する)。ここで、付帯設備２＿１〜２＿ｎには、移動端末との無線信号の送受信に用いるアンテナ、運用者により使用されるメンテナンス端末、動作解析用のデバッグツール、安全装置(冷却装置や火災報知機等)等、基地局装置１に接続可能な種々の設備が含まれる。
【００１５】
一方、設定情報取得部２０は、初回起動判定部１０から出力された判定結果１０１が"初回起動"を示す場合に、基地局装置１の動作に必要な設定情報１０２をサーバ３からダウンロードする。ここで、設定情報１０２には、移動端末との無線通信に用いる周波数情報等の種々のシステムパラメータが含まれる。
【００１６】
このように、本実施の形態においては、基地局装置１自身が初回起動を自律的に判定し、以て運用者の操作に依存せず、設定情報１０２を確実に取得することができる。
【００１７】
以下、基地局装置１の具体的な構成例及び動作例を、図２〜図４、並びに図５Ａ及び図５Ｂを参照して詳細に説明する。
【００１８】
図２に示すように、基地局装置１は、付帯設備２＿１〜２＿ｎを接続するためのポート３０＿１〜３０＿ｍ(以下、符号３０で総称することがある)と、サーバ３とのインタフェースとして機能するサーバＩ／Ｆ４０と、記憶媒体５０と、プロセッサ６０とで構成すると好適である。なお、これらのブロック３０〜６０は、バス等を介して相互接続されている。また、ポート数"ｍ"≦基地局装置１に接続可能な付帯設備数"ｎ"が成立する。すなわち、各ポート３０＿１〜３０＿ｍは、特定の付帯設備のみを接続可能であっても良いし、幾つかの付帯設備を択一的に接続可能であっても良い。
【００１９】
また、記憶媒体５０には、プロセッサ６０により実行される初回起動判定プログラムＰ１０及び設定情報取得プログラムＰ２０と、初回起動判定プログラムＰ１０の実行に際して参照される判定用リストＬ１とが格納されている。
【００２０】
この内、初回起動判定プログラムＰ１０には、図１に示した初回起動判定部１０に相当する処理が記述されている。一方、設定情報取得プログラムＰ２０には、設定情報取得部２０に相当する処理が記述されている。
【００２１】
また、判定用リストＬ１には、基地局装置１の初回起動時に接続されるべき必須の付帯設備と、初回起動時に接続されるべきでない不要な付帯設備とが予め登録される。より具体的には、判定用リストＬ１には、例えば図３に示すように、アンテナ２＿１、メンテナンス端末２＿２、デバッグツール２＿３、及びその他の付帯設備２＿４が登録されている。また、アンテナ２＿１、メンテナンス端末２＿２、及びその他の付帯設備２＿４の接続条件として、初回起動時の接続が必須である旨(図示の"〇")が指定される一方、デバッグツール２＿３の接続条件として、初回起動時の接続が不可である旨(図示の"×")が指定されている。
【００２２】
次に、基地局装置１の動作を、図４、並びに図５Ａ及び図５Ｂを参照して説明する。
【００２３】
図４に示すように、基地局装置１へ電源が投入されると、まずプロセッサ６０が、初回起動判定プログラムＰ１０を記憶媒体５０から読み出して実行する。初回起動判定プログラムＰ１０は、基地局装置１に接続された付帯設備を検出する(ステップＳ１)。より具体的には、初回起動判定プログラムＰ１０は、特定の付帯設備のみを接続可能なポートについては、当該ポートを介した導通により付帯設備を検出する。一方、幾つかの付帯設備を択一的に接続可能なポートについては、初回起動判定プログラムＰ１０は、当該ポートを介した通信により付帯設備を検出する。
【００２４】
そして、初回起動判定プログラムＰ１０は、図５Ａに示す如く、上記のステップＳ１で検出した付帯設備のリスト(以下、検出設備リストと呼称する)Ｌ２を作成する(ステップＳ２)。図示の例では、検出設備リストＬ２に、アンテナ２＿１、メンテナンス端末２＿２、並びにその他の付帯設備２＿４及び２＿５の接続が検出された旨(図示の"〇")と、デバッグツール２＿３の接続が検出されなかった旨(図示の"×")とが登録されている。
【００２５】
この後、初回起動判定プログラムＰ１０は、記憶媒体５０から読み出した判定用リストＬ１と、上記のステップＳ２で作成した検出設備リストＬ２とを比較する(ステップＳ３)。比較に際して、初回起動判定プログラムＰ１０は、検出設備リストＬ２中のレコードの内、判定用リストＬ１に含まれない付帯設備に関するレコードをフィルタ(削除)する。今、判定用リストＬ１にその他の付帯設備２＿５が含まれないため、フィルタ後の検出設備リストＬ２には、図５Ｂに示す如く、アンテナ２＿１、メンテナンス端末２＿２、デバッグツール２＿３、及びその他の付帯設備２＿４に関するレコードが残ることとなる。
【００２６】
この結果、判定用リストＬ１と検出設備リストＬ２とが完全に一致した場合、初回起動判定プログラムＰ１０は、基地局装置１が初回起動されたと判定し、その旨を示す戻り値をプロセッサ６０に返す(ステップＳ４)。
【００２７】
プロセッサ６０は、設定情報取得プログラムＰ２０を記憶媒体５０から読み出して実行する。設定情報取得プログラムＰ２０は、サーバＩ／Ｆ４０を介して、サーバ３から設定情報１０２をダウンロードする(ステップＳ５)。
【００２８】
そして、プロセッサ６０は、設定情報１０２に則した各種動作(以下、通常動作と呼称する)を実行する(ステップＳ６)。より具体的には、プロセッサ６０は、無線トランシーバ(図示せず)等を制御し、以て基地局装置１と移動端末の間の無線通信を実現する。
【００２９】
一方、上記のステップＳ４で判定用リストＬ１と検出設備リストＬ２とが一致しなかった場合、初回起動判定プログラムＰ１０は、初回起動で無い(設定情報取得後の起動である)と判定する。この場合、プロセッサ６０は、設定情報取得プログラムＰ２０を実行すること無く上記のステップＳ６へ進み、以て通常動作を実行する。
【００３０】
これにより、設定情報１０２の冗長なダウンロードを回避することができる。また、設定情報１０２が通常動作の過程で変更される場合には、変更された設定情報の上書き(初期化)を防止することができる。
【００３１】
なお、上記の実施の形態によって本発明は限定されるものではなく、特許請求の範囲の記載に基づき、当業者によって種々の変更が可能なことは明らかである。
【００３２】
上記のプログラム(初回起動判定プログラムＰ１０及び設定情報取得プログラムＰ２０)は、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、上記のプログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３３】
この出願は、２００９年５月２６日に出願された日本出願特願２００９−１２６８０３を基礎とする優先権を主張し、その開示の全てをここに取り込む。
【産業上の利用可能性】
【００３４】
本発明は、基地局装置、並びにその制御方法及びプログラムに適用され、特に初回起動時に、動作に必要な設定情報をサーバから取得(ダウンロード)する基地局装置、並びにその制御方法及びプログラムに適用される。
【符号の説明】
【００３５】
１  基地局装置
２＿１〜２＿ｎ  付帯設備
３  サーバ
１０  初回起動判定部
２０  設定情報取得部
３０＿１〜３０＿ｍ  付帯設備接続用ポート
４０  サーバＩ／Ｆ
５０  記憶媒体
６０  プロセッサ
１０１  判定結果
１０２  設定情報
Ｌ１  判定用リスト
Ｌ２  検出設備リスト
Ｐ１０  初回起動判定プログラム
Ｐ２０  設定情報取得プログラム
【図１】
2010137227.tif 000003
【図２】
2010137227.tif 000004
【図３】
2010137227.tif 000005
【図４】
2010137227.tif 000006
【図５Ａ】
2010137227.tif 000007
【図５Ｂ】
2010137227.tif 000008
【手続補正書】
【提出日】平成23年11月28日(2011.11.28)
【手続補正１】
【補正対象書類名】特許請求の範囲
【補正対象項目名】請求項７
【補正方法】変更
【補正の内容】
【請求項７】
基地局装置に、
付帯設備の接続状況に基づき、前記基地局装置が初回起動されたか否かを判定する処理と、
初回起動と判定した場合、前記基地局装置の動作に必要な設定情報をサーバから取得する処理と、
を実行させるための制御プログラム。
【国際調査報告】
2010137227.tif 000009
2010137227.tif 000010
2010137227.tif 000011
2010137227.tif 000012